(57)【要約】      （修正有）【課題】傘使用時のゴルフプレーにおいて、ゴルファーにゴルフクラブと傘とを合わせて持ち運びすることを容易にすると同時に、ゴルフクラブのグリップが濡れることを防止するゴルフプレー補助器具、及び、ゴルフクラブ保持機能付傘を提供する。【解決手段】傘２の骨５、下ロクロ６、シャフト７とあいまってゴルフクラブ８を保持することが可能なゴルフプレー補助器具１を傘に装着し、傘の骨、下ロクロ、シャフトとゴルフプレー補助器具とでゴルフクラブを傘に保持させる。または、傘に当該傘の骨、下ロクロ、シャフトとあいまってゴルフクラブを保持することが可能なゴルフクラブ保持機能を付加し、傘にゴルフクラブを保持させる。【選択図】図１
2013165804.tif 000002
【特許請求の範囲】
【請求項１】
傘に装着可能なように構成された装着部と、傘の骨、下ロクロ、シャフトとあいまってゴルフクラブを保持可能なように構成されたゴルフクラブ保持部とを有するゴルフプレー補助器具。
【請求項２】
傘のシャフト部、柄部、柄の端部にネジ、テーパー、溝、磁石、その他の手段を用いて、任意の部品を装着可能なように構成された傘。
【請求項３】
骨、下ロクロ、シャフトとあいまってゴルフクラブを保持可能なように構成されたゴルフクラブ保持部を有する傘。
【発明の詳細な説明】
【技術分野】
【０００１】
本発明は傘使用時のゴルフプレーにおいて、傘にゴルフクラブの保持機能を付加することでゴルファーがゴルフクラブと傘とを同時に携帯することを容易にし、かつ、ゴルフクラブのグリップが濡れることを防止するためのゴルフプレー補助器具、及び、ゴルフクラブ保持機能付の傘に関する発明である。
【背景技術】
【０００２】
傘のシャフトに装着できる装着部とゴルフクラブを保持できる保持部とを有するように構成された器具を傘のシャフトの先端よりに装着し、同じような器具をもう一つ傘のシャフトの手元よりに装着する。その二つの器具の片方でゴルフクラブのグリップ付近、もう片方でゴルフクラブのヘッド付近を保持することで傘にゴルフクラブを保持させるゴルフプレー補助器具があった。その際、ゴルフクラブの保持はスプリング金具を用いる構造となっている。（特許文献１）
【０００３】
傘のシャフトに装着可能なように構成された円筒部分、前記円筒部分の片方の端部付近にてゴルフクラブのグリップ付近を保持できるように構成されたゴルフクラブ保持部、もう片方の端部付近でゴルフクラブのヘッド付近を保持できるように構成されたゴルフクラブ保持部からなるゴルフプレー補助器具があった。（特許文献２）
【先行技術文献】
【特許文献】
【０００４】
【特許文献１】実開平５−３７２６１号公報
【特許文献２】実用新案登録第３０７８７５８号公報
【発明の概要】
【発明が解決しようとする課題】
【０００５】
従来技術のゴルフクラブを傘に保持させるゴルフプレー補助器具は、ゴルフプレーヤーは傘使用時は片方の手で傘を差し、もう片方の手のみでゴルフクラブをゴルフプレー補助器具に装着しなければならないが、ゴルフクラブのゴルフプレー補助器具への装着はスプリング金具等を利用していて片手での装着は困難であったため実際は使用できない器具となっていた。
【０００６】
また、従来技術のゴルフクラブを傘に保持させるゴルフプレー補助器具は、複数のゴルフクラブを傘に保持させるためには複数のゴルフプレー補助器具の傘への装着が必要なため大変面倒であった。
【０００７】
また、従来技術のゴルフクラブを傘に保持させるゴルフプレー補助器具は、複数のゴルフクラブを傘に装着することができないものもあった。
【０００８】
また、従来技術のゴルフクラブを傘に保持させるゴルフプレー補助器具は、その器具を傘に装着している状態では傘をたたむときに、その器具自身と傘の骨や下ロクロが干渉して傘をたたむことができなかった。したがって、従来技術のゴルフクラブを傘に保持させるゴルフプレー補助器具は実際には使用できない器具となっていった。
【０００９】
また、従来技術のゴルフクラブを傘に保持させるゴルフプレー補助器具は、ゴルフクラブを傘に保持させると傘の柄の部分とゴルフクラブが接近する構造となっており、ゴルフクラブが邪魔で傘が非常に持ちにくかった。
【００１０】
また、従来技術のゴルフクラブを傘に保持させるゴルフプレー補助器具は、ゴルフクラブを傘に保持させると傘の柄の部分とゴルフクラブがほぼ重なり合う構造となっているものもあり、傘の柄の部分とゴルフクラブをまとめて握らなければならず非常に傘が持ちにくかった。
【００１１】
本発明の目的はこれらの問題点を解決し、傘使用時のゴルフプレーにおいて、ゴルフクラブと傘とを併せて持ち運ぶことを容易にすると同時に、ゴルフクラブのグリップが濡れることを防止するためのゴルフプレー補助器具、及び、ゴルフクラブ保持機能付の傘を提供するためのものである。
【課題を解決するための手段】
【００１２】
上記目的を達成するため本発明のゴルフプレー補助器具は、傘に装着可能なように構成された装着部と、傘の骨、下ロクロ、シャフトとあいまってゴルフクラブを保持可能なように構成されたゴルフクラブ保持部からなる。装着部は絶対ではないが傘の柄の端部にネジにて装着可能なように構成されることが使用に際し便利なため望ましい。ゴルフクラブ保持部は絶対ではないがアームの先端付近にあり、当該ゴルフプレー補助器具を装着した状態の傘をたたんで傘立、ゴルフバッグ、ゴルフ用カートの傘収容部等に収容しやすくするため当該アームは可動部を有することにより一定の可動領域を有することが望ましい。また、アームは絶対ではないが複数であることがより多くのゴルフクラブを携帯できるため望ましい。
【００１３】
また、上記目的を達成するため本発明のゴルフクラブ保持機能付傘は、当該ゴルフクラブ保持機能付傘の骨、下ロクロ、シャフトとあいまってゴルフクラブを保持可能なように構成されたゴルフクラブ保持部を有する。ゴルフクラブ保持部は、絶対ではないがアームの先端付近にあり、傘をたたんで傘立、ゴルフバッグ、ゴルフ用カートの傘収容部等に収容しやすくするため当該アームは可動部を有することにより一定の可動領域を有することが望ましい。また、アームは絶対ではないが複数であることがより多くのゴルフクラブを携帯できるため望ましい。
【発明の効果】
【００１４】
本発明により片方の手で傘をさした状態でもう片方の手で傘にゴルフクラブを保持させることが容易になり、実際は使用できない器具となっていた従来技術のゴルフプレー補助器具の問題点を解消できる。
【００１５】
本発明により一個のゴルフプレー補助器具を傘に装着するのみにて複数のゴルフクラブを傘に保持させられるようになり、複数のゴルフクラブを傘に保持させるためには複数のゴルフプレー補助器具の傘へ装着が必要であった従来技術のゴルフプレー補助器具の問題点を解消できる。
【００１６】
本発明によりゴルフプレー補助器具を傘に装着した状態で傘をたたむことができるようになり、ゴルフプレー補助器具を傘に装着した状態では傘がたためないため実際は使用できない器具となっていた従来技術のゴルフプレー補助器具の問題点を解消できる。
【００１７】
本発明によりゴルフクラブを傘に保持させると傘の柄の部分とゴルフクラブが接近する、または、傘の柄の部分とゴルフクラブがほぼ接する状態となり非常に傘が持ちにくい構造となっていた従来技術のゴルフプレー補助器具の問題点を解消できる。
【図面の簡単な説明】
【００１８】
【図１】装着部が傘の柄の端部にネジにて装着可能なように構成され、ゴルフクラブ保持部が一定の可動領域を有するアームの先端付近にあり、複数の当該アームを有する請求項１の一例であるゴルフプレー補助器具を、傘の柄の端部にネジを用いて任意の部品を装着可能なように構成された請求項２の一例である傘に装着し、ゴルフクラブを保持している状態を示す図である。
【図２】装着部が傘の柄の端部にネジにて装着可能なように構成され、ゴルフクラブ保持部が一定の可動領域を有するアームの先端付近にあり、複数の当該アームを有する請求項１の一例であるゴルフプレー補助器具を示す図である。
【図３】図２においてＰ矢視を示す図である。
【図４】柄の端部がネジにて任意の部品を装着可能なように構成された請求項２の一例である傘を示す図である。
【図５】ゴルフクラブ保持部が一定の可動領域を有するアームの先端付近にあり、複数の当該アームを有する請求項３の一例であるゴルフクラブ保持機能付傘を示す図である。
【発明を実施するための形態】
【００１９】
次に一例として装着部が傘の柄の端部にネジにて装着可能なように構成され、ゴルフクラブ保持部が一定の可動領域を有するアームの先端付近にある請求項１に記載のゴルフプレー補助器具と、柄の端部にネジにて任意の部品を装着可能なように構成された請求項２に記載の傘の実施の形態について説明する。
【００２０】
本発明のゴルフプレー補助器具（１）は、本発明の傘（２）の柄の端部（３）にネジにて装着可能なように構成された装着部（４）と、本発明の傘の骨（５）、下ロクロ（６）、シャフト（７）とあいまってゴルフクラブ（８）を保持可能なように構成されたゴルフクラブ保持部（９）を可動部（１０）を有することにより一定の可動領域を有するアーム（１１）の先端付近に備えることを特徴とするものである。また、本発明の傘（２）は、柄の端部（３）にネジにて任意の部品を装着可能なように構成された装着部（１２）を有することを特徴とするものである。これらを使用するときは、本発明のゴルフプレー補助器具（１）を本発明の傘（２）の柄の端部（３）に装着して通常の傘の使用と同様に本発明の傘（２）を開けばよい。その際、本発明の傘（２）を開くため本発明の傘（２）の先端部（１３）を上に向けた時点で可動部（１０）を有することにより一定の可動領域を有するアーム（１１）が重力により開く。ゴルファーはゴルフクラブ（８）のグリップ部（１４）を開いた本発明の傘（２）の骨（５）、下ロクロ（６）、シャフト（７）にひっかけ、ゴルフクラブ（８）のヘッド部（１５）をアーム（１１）の先端付近にあるゴルフクラブ保持部（９）に保持させる。ゴルファーはこの状態で本発明の傘（２）を通常の傘の使用と同様に使用すれば、ゴルフクラブ（８）と傘とを容易に併せて持ち運ぶことができると同時に、ゴルフクラブ（８）のグリップ部（１４）が濡れることを防止できる。
【００２１】
次に、一例としてゴルフクラブ保持部が一定の可動領域を有するアームの先端付近にある請求項３に記載のゴルフクラブ保持機能付傘の実施の形態について説明する。
【００２２】
本発明のゴルフクラブ保持機能付傘（１６）は、当該ゴルフクラブ保持機能付傘（１６）の骨（１７）、下ロクロ（１８）、シャフト（１９）とあいまってゴルフクラブ（８）を保持可能なように構成されたゴルフクラブ保持部（２０）を可動部（２１）を有することにより一定の可動領域を有するアーム（２２）の先端付近に備えることを特徴とするものである。本発明のゴルフクラブ保持機能付傘（１６）を使用するときは、通常の傘の使用と同様に本発明のゴルフクラブ保持機能付傘（１６）を開けばよい。その際、本発明のゴルフクラブ保持機能付傘（１６）を開くため本発明のゴルフクラブ保持機能付傘（１６）の先端部（２３）を上に向けた時点で可動部（２１）を有することにより一定の可動領域を有するアーム（２２）が重力により開く。ゴルファーはゴルフクラブ（８）のグリップ部（１４）を開いた本発明のゴルフクラブ保持機能付傘（１６）の骨（１７）、下ロクロ（１８）、シャフト（１９）にひっかけ、ゴルフクラブ（８）のヘッド部（１５）をアーム（２２）の先端付近にあるゴルフクラブ保持部（２０）に保持させる。ゴルファーはこの状態で本発明のゴルフクラブ保持機能付傘（１６）を通常の傘の使用と同様に使用すれば、ゴルフクラブ（８）と傘とを容易に併せて持ち運ぶことができると同時に、ゴルフクラブ（８）のグリップ部（１４）が濡れることを防止できる。
【符号の説明】
【００２３】
１  一例としての請求項１に記載のゴルフプレー補助器具
２  一例としての請求項２に記載の傘
３  柄の端部
４  装着部
５  骨
６  下ロクロ
７  シャフト
８  ゴルフクラブ
９  ゴルフクラブ保持部
１０  可動部
１１  アーム
１２  装着部
１３  先端部
１４  グリップ部
１５  ヘッド部
１６  一例としての請求項３に記載のゴルフクラブ保持機能付傘
１７  骨
１８  下ロクロ
１９  シャフト
２０  ゴルフクラブ保持部
２１  可動部
２２  アーム
２３  先端部
【図１】
2013165804.tif 000003
【図２】
2013165804.tif 000004
【図３】
2013165804.tif 000005
【図４】
2013165804.tif 000006
【図５】
2013165804.tif 000007